【手続補正書】
【提出日】平成20年4月9日(2008.4.9)
【手続補正１】
【補正対象書類名】特許請求の範囲
【補正対象項目名】全文
【補正方法】変更
【補正の内容】
【特許請求の範囲】
【請求項１】
スプレイ配向又はベンド配向をとりうる液晶層を有する液晶パネルに電圧を印加する液晶パネルの駆動装置であって、
少なくとも前記液晶パネルの電源ＯＦＦ又はＯＮ状態に応じて、映像信号電圧、リセット用電圧、及び前記液晶パネルをスプレイ配向からベンド配向へ移行させるための転移電圧を少なくとも含む複数の電圧から、１つの電圧を選択的に出力する電圧出力手段を備え、
前記電圧出力手段は、
前記電源ＯＮ状態になると、前記映像信号電圧を印加する前に、前記リセット用電圧を印加するとともに、その後に前記転移電圧を印加するものであり、
前記電源ＯＦＦ状態になると、前記液晶パネルに前記転移電圧を印加し、その後、前記リセット用電圧を印加してから前記液晶パネルへの電圧の供給を停止させる、液晶パネルの駆動装置。
【請求項２】
スプレイ配向又はベンド配向をとりうる液晶層を有する液晶パネルに電圧を印加する液晶パネルの駆動装置であって、
前記液晶パネルに、映像信号電圧、リセット用電圧、及び前記液晶パネルをスプレイ配向からベンド配向へ移行させるための転移電圧を少なくとも含む複数の電圧から、１つの電圧を選択的に出力する電圧出力手段を備え、
外部から入力される前記液晶パネルのＯＮ信号に基づき、前記リセット用電圧を選択する第１期間と、前記第１期間に続き前記転移電圧を選択する第２期間とを順次設定するとともに、
外部から入力される前記液晶パネルのＯＦＦ信号に基づき、前記転移電圧を選択する第３期間、前記第３期間に続き前記リセット電圧を選択する第４期間とを順次設定する、液晶パネルの駆動装置。
【請求項３】
スプレイ配向又はベンド配向をとりうる液晶層を有する液晶パネルに電圧を印加する液晶パネルの駆動装置であって、
前記液晶パネルの一方の電極に接続され、前記液晶パネルをスプレイ配向からベンド配向へ移行させる転移電圧、映像信号電圧、及びリセット電圧とを選択的に印加する第１の駆動回路と、
前記液晶パネルの他方の電極に接続され、定電位を印加する第２の駆動回路と、
外部から入力される、前記液晶パネルの電源ＯＦＦ信号又は電源ＯＮ信号に応じて前記第１の駆動回路及び前記第２の駆動回路の動作を制御する制御回路とを備え、
前記制御回路は、
前記ＯＮ信号に基づき、前記リセット電圧を選択する第１期間、前記転移電圧を選択する第２期間、前記映像信号電圧を選択する第３期間を、この順に設定し、
前記ＯＦＦ信号に基づき、前記転移電圧を選択する第４期間、前記リセット電圧を選択する第５期間を、この順に設定するように、前記第１の駆動回路を制御する、液晶パネルの駆動装置。
【請求項４】
前記リセット電圧は、前記転移電圧より絶対値が小さい、請求項１から３のいずれかに記載の液晶パネルの駆動装置。
【請求項５】
前記電圧出力手段は、前記電源ＯＦＦ状態において、前記転移電圧の印加と前記リセット用電圧の印加との間に、前記液晶パネルの各画素に対し実質上均一となる所定の映像信号電圧を印加する、請求項１に記載の液晶パネルの駆動装置。
【請求項６】
前記制御回路は、前記電源ＯＦＦ状態において、前記第４期間と前記第５期間との間に
、前記液晶パネルの各画素に対し実質上均一となる所定の映像信号電圧を印加する第６期間を挟むよう、前記制御を行う、請求項３に記載の液晶パネルの駆動装置。
【請求項７】
前記実質上均一の所定の映像信号電圧は、前記液晶パネルを黒表示するものである、請求項５または６に記載の液晶パネルの駆動装置。
【請求項８】
前記液晶パネルの電源ＯＦＦ状態の際に印加される前記リセット電圧は、前記液晶パネルを白表示する映像信号電圧である、請求項７に記載の液晶パネルの駆動装置。
【請求項９】
前記液晶パネルの電源ＯＮ状態の際に印加される前記リセット電圧は、前記液晶パネルを白表示する映像信号電圧である、請求項１に記載の液晶パネルの駆動装置。
【請求項１０】
前記第１期間にて選択される前記リセット電圧は、前記液晶パネルを白表示する映像信号電圧である、請求項２に記載の液晶パネルの駆動装置。
【請求項１１】
請求項１から３のいずれかに記載の液晶パネルの駆動装置と、
ＯＣＢモード液晶を使用した液晶層を有する液晶パネルと、
前記液晶パネルの駆動装置から前記電圧の供給を受け、前記液晶パネルに表示を行わせるドライバとを備えた液晶表示装置。
【手続補正２】
【補正対象書類名】明細書
【補正対象項目名】００１９
【補正方法】変更
【補正の内容】
【００１９】
以上のような構成を有する残像対策回路は、図１１のタイミングチャートに示すように、通常表示から電源ＯＦＦにするまでの間に、液晶パネル全体を白色表示する白表示の期間を挟むようにして、ムラ、残像が画面上に見えないようにしている。より詳細には、通常表示時にはそれぞれ異なる固定電圧としてソースドライバ６０１に供給されていたＶＲＥＦ０〜ＶＲＥＦ９が、白表示期間内において、制御電圧Ｖｃ４がＯＦＦ、制御電圧Ｖｃ５がＯＮとなることにより、各開閉スイッチ６０２ｂ、６０２ｃがＯＦＦ、６０２ａがＯＮに切り替えられて、ＶＲＥＦ０〜ＶＲＥＦ９に一定電圧ＡＶＤＤ／２が供給され、それに伴い、ソースドライバ６０１のＹ１〜Ｙ３８４の各出力に同一の一定電圧ＡＶＤＤ／２が出力されて、白表示を行う。白表示期間が終了すると、電源ＯＦＦとして、各電圧の供給が停止される。
【手続補正３】
【補正対象書類名】明細書
【補正対象項目名】００３８
【補正方法】削除
【補正の内容】
【手続補正４】
【補正対象書類名】明細書
【補正対象項目名】００３９
【補正方法】変更
【補正の内容】
【００３９】
また、第９の本発明は、前記液晶パネルの電源ＯＮ状態の際に印加される前記リセット電圧は、前記液晶パネルを白表示する映像信号電圧である、第１の本発明の液晶パネルの駆動装置である。
【手続補正５】
【補正対象書類名】明細書
【補正対象項目名】００４０
【補正方法】変更
【補正の内容】
【００４０】
また、第１０の本発明は、前記第１期間にて選択される前記リセット電圧は、前記液晶パネルを白表示する映像信号電圧である、第２の本発明の液晶パネルの駆動装置である。
【手続補正６】
【補正対象書類名】明細書
【補正対象項目名】００４１
【補正方法】削除
【補正の内容】
【手続補正７】
【補正対象書類名】明細書
【補正対象項目名】００４２
【補正方法】変更
【補正の内容】
【００４２】
また、第１１の本発明は、第１から３のいずれかの本発明の液晶パネルの駆動装置と、
ＯＣＢモード液晶を使用した液晶層を有する液晶パネルと、
前記液晶パネルの駆動装置から前記電圧の供給を受け、前記液晶パネルに表示を行わせるドライバとを備えた液晶表示装置である。
【手続補正８】
【補正対象書類名】明細書
【補正対象項目名】００５４
【補正方法】変更
【補正の内容】
【００５４】
このように、以上のＯＦＦ動作においては、通常の液晶の駆動よりも十分に大きい高電位の転移電圧を印加することにより、液晶層４１１ｄが速やかに均一なベンド配向状態へ移行するため、従来例のように、早くスプレイ配向に移行する部分と、遅くスプレイ配向に移行する部分とが混在することを防ぐことができる。この後、さらに各画素には黒表示電圧を印加させてフリッカを安定させることができ、引き続きリセット電圧を印加することにより、電源ＯＦＦ後の液晶層４１１ｄ全体を、均一なベンド配向から、均一なスプレイ配向へ速やかに移行させることができ、より効果的にムラや残像を除去することができ、バックライト４５０の消灯後、外光が入射しても、安定した画質を得ることができる。
【手続補正９】
【補正対象書類名】明細書
【補正対象項目名】００６７
【補正方法】変更
【補正の内容】
【００６７】
ＯＦＦシーケンス期間３０２が終了すると、制御手段１０３は、ＯＦＦシーケンス期間３０３を開始させる。表示画面がノーマリホワイトである場合、ＯＦＦシーケンス期間３０３において、表示面に全面黒階調を表示するための交番電圧を液晶パネル４１０に印加する。このようにＯＦＦシーケンス期間３０３において黒表示電圧が印加されるのは１００ｍｓｅｃ以上であることが望ましい。